(57)【特許請求の範囲】
【請求項１】
毛を切るための鋭い先端を有する少なくとも１つのかみそりの刃（８０）と、
少なくとも一対の締め付け要素（１２）を含む脱毛シリンダー（１１）であって、前記一対の締め付け要素が、動作中に、作動システム（１２１、１２２、１１９、１２０）によって開放位置と閉鎖位置との間で作動され、これにより、開放位置にある一対の締め付け要素（１２）の間の間隙に毛が送り込まれることができ、且つ、前記一対の締め付け要素（１２）が閉鎖位置にあるときに、前記毛が掴まれて皮膚の表面（９０）から引き抜かれる、脱毛シリンダー（１１）と、
少なくとも第１の調整及び前記第２の調整を含む手で操作可能な調整機構（１１０；１９）と、を含み、
第１の調整及び第２の調整において、前記皮膚の表面（９０）が前記かみそりの刃（８０）の前記鋭い先端と前記脱毛シリンダー（１１）の円周領域とによって同時に接触されることができる一方で、通常の動作中に前記一対の締め付け要素（１２）の前記閉鎖位置が前記皮膚の表面（９０）に関してとる角度位置（α；α’；α”）は、前記第１の調整及び前記第２の調整で異なるようになっている、ハイブリッド脱毛装置。
【請求項２】
前記手で操作可能な調整機構（１１０）は、前記かみそりの刃（８０）が装着される装着構造体（１１０、８１）を含み、前記装着構造体（１１０、８１）は、少なくとも前記第１の調整に関連した第１の位置と前記第２の調整に関連した第２の位置との間で、移動可能である、請求項１に記載のハイブリッド脱毛装置。
【請求項３】
前記装着構造体（１１０、８１）は、前記脱毛シリンダー（１１）のシリンダー軸（１３）の周りで枢動可能である、請求項２に記載のハイブリッド脱毛装置。
【請求項４】
前記装着構造体（１１０、８１）は、前記第１の位置及び前記第２の位置のそれぞれに係止され得るように構成されている、請求項２又は請求項３に記載のハイブリッド脱毛装置。
【請求項５】
前記手で操作可能な調整機構（１９）は、少なくとも前記第１の調整に関連した第１の変位と前記第２の調整に関連した第２の変位との間で、切り換え可能である変位機構（１９）を含み、前記変位機構は前記作動システム（１２１、１２２、１１９、１２０）の少なくとも一部を変位させる、請求項１に記載のハイブリッド脱毛装置。
【請求項６】
前記変位機構（１９）は、前記脱毛シリンダー（１１）の前記シリンダー軸（１３）の周りで前記作動システム（１２１、１２２、１１９、１２０）の前記一部を回動させる、請求項５に記載のハイブリッド脱毛装置。
【請求項７】
前記かみそりの刃（８０）はカートリッジ（８１）に装着される、請求項１〜６のいずれか一項に記載のハイブリッド脱毛装置。
【請求項８】
前記かみそりの刃は、浮動可能に及び／又は回動可能に装着される、請求項１〜７のいずれか一項に記載のハイブリッド脱毛装置。
【発明の詳細な説明】
【技術分野】
【０００１】
本発明は、ハイブリッド脱毛装置に関し、特に、カミソリの刃を含むハイブリッド脱毛装置に関する。
【背景技術】
【０００２】
カミソリの刃を含むハイブリッド脱毛装置は、ドイツ特許出願第１０２００７０５０６６１．０−２３号で最初に説明された。
【先行技術文献】
【特許文献】
【０００３】
【特許文献１】ドイツ特許出願第１０２００７０５０６６１．０−２３号
【発明の概要】
【発明が解決しようとする課題】
【０００４】
より便利な使用を可能にする改善されたハイブリッド脱毛装置を提供することが、現在望ましい。
【課題を解決するための手段】
【０００５】
このようなハイブリッド脱毛装置が請求項１により得られる。更なる実施形態は、従属請求項により得られる。
【０００６】
提案されるハイブリッド脱毛装置は、皮膚の表面に伸びる毛を剃り落とすための鋭い先端を有する少なくとも１つのかみそりの刃、及び、少なくとも一対の締め付け要素を含むシリンダー軸の周りを駆動回動する目的の脱毛シリンダーであって、一対の締め付け要素は、間隙に毛が送り込まれることができるように締め付け要素の間に間隙が存在する開放位置と、脱毛シリンダーが回動するときに、間隙に存在する毛がしっかりと掴まれて皮膚の表面から引き抜かれるように締め付け要素が密に接触する閉鎖位置との間で、動作中に、作動システムによって作動されるように配置される、脱毛シリンダーを含む。かみそりの刃は、かみそりの刃の鋭い先端によって画定される使用方向に関して脱毛シリンダーの後方に配置される。脱毛シリンダーの円周部分及びかみそりの刃の鋭い先端は、皮膚と接触する表面を画定し、それに沿ってハイブリッド脱毛装置が皮膚の表面上を引かれ、毛を引き抜き、脱毛された皮膚の表面にまだ残っている毛を剃毛することを連続的に行う。使用中に、装置によって画定される皮膚と接触する表面は、皮膚の表面と一致する。明らかに、一対の締め付け要素の閉鎖位置は、皮膚と接触する表面（又は皮膚の表面）に関してある角度でとられる。ハイブリッド脱毛装置は、少なくとも第１の調整及び第２の調整を含む手で操作可能な調整機構を更に含み、かみそりの刃の鋭い先端及び脱毛シリンダーの円周部分が、動作中に、第１の調整及び第２の調整で同時に皮膚の表面と接触することができるが、締め付け要素の閉鎖位置が皮膚と接触する表面（又は動作中に皮膚の表面）に関してとる角度位置は、第１の調整及び第２の調整で異なるようになっている。
【０００７】
脱毛シリンダーの脱毛効率（脱毛効率は、単一ストロークで皮膚の表面積から引き抜かれる毛の数と、脱毛処置前に皮膚の表面積に伸びる毛の数との比率として定義される）は、閉鎖位置がとる角度に依存する。したがって、提案されるハイブリッド脱毛装置は、手で操作可能な調整機構によって脱毛効率、したがって、引き抜かれた毛と剃毛された毛との間の比率を調整することを可能にする。後者の除毛プロセスは本質的に痛みがないので、提案されるハイブリッド脱毛装置は、調整可能な脱毛比率（言いかえれば、調整可能な痛みのレベル）で、単一ストロークで完全な除毛（かみそりの刃が脱毛後に皮膚の表面に残っている毛をすべて剃り落とすと考えることができる）を可能にする。
【０００８】
一実施形態では、手で操作可能な調整機構は、かみそりの刃が装着される装着構造体であって、少なくとも第１の位置と第２の位置との間で移動可能である、装着構造体を含み、手で操作可能な調整機構は、装着構造体が第１の位置にあるときに第１の調整にあり、装着構造体が第２の位置にあるときに第２の調整にある。かみそりの刃を保持する装着構造体を脱毛シリンダーに関して移動させることで、締め付け要素の閉鎖位置がとる角度位置を変えることができる。この実施形態を改良したものでは、装着構造体は、脱毛軸のシリンダー軸の周りで枢動可能に配置される。移動可能な装着構造体は、第１の位置及び第２の位置に係止され得るように構成されることができる。
【０００９】
別の実施形態では、手で操作可能な調整機構は、少なくとも第１の変位と第２の変位との間で切り換え可能に配置される変位機構を含む。手で操作可能な調整機構は、変位機構が第１の変位にあるときに第１の調整、及び変位機構が第２の変位にあるときに第２の調整をとる。変位機構は、作動システムの少なくとも一部を変位させる。具体的には、変位機構は、脱毛シリンダーのシリンダー軸の周りで作動システムの一部を回動させる。
【００１０】
更なる実施形態では、かみそりの刃はカートリッジに装着される。更に別の実施形態では、かみそりの刃は、浮動可能に又は回動可能に装着され、これにより、ハイブリッド脱毛装置が皮膚上を引かれている間、かみそりの刃が凹凸のある皮膚の表面に順応し、皮膚との接触を保つことができる。
【図面の簡単な説明】
【００１１】
本発明は提案されるハイブリッド脱毛装置の例示的な実施形態の説明、及び図の参照によって更に説明され解明される。図中、
【図１】提案される脱毛装置の概略図を示す。
【図２】提案されるハイブリッド脱毛装置の例示的実施形態の概略図を示す。
【図３Ａ】かみそりの刃が第２の位置にある、図１に描かれるハイブリッド脱毛装置の概略図を示す。
【図３Ｂ】脱毛シリンダーが第２の調整にある、図１に描かれるハイブリッド脱毛装置の概略図を示す。
【図４】ハイブリッド脱毛装置の可能な実現を示す。
【図５】脱毛ユニットの脱毛シリンダー及び作動システムの構成要素を示す。
【発明を実施するための形態】
【００１２】
図１は、当該技術分野において一般に周知の脱毛装置１００’の概略図である。脱毛装置１００’は、例えば、国際特許出願第２００６／０３７３９２  Ａ１号など当該技術分野において周知のように脱毛ユニット１０が装着されるハウジング１０１を含み、そのような典型的な脱毛ユニット１０及びその装着構成を説明するその内容は、参照することによって本明細書に組み込まれる。脱毛ユニット１０は、脱毛装置１００’の通常の動作中に、皮膚の表面９０に伸びる毛９１を掴んで引き抜くために配置される。脱毛ユニット１０は、シリンダーの表面に配置される軸方向及び周方向に隔置された対の締め付け要素１２を有する脱毛シリンダー１１を含む。動作中、脱毛シリンダー１１は、矢印で示されるようにＲの方向にシリンダー軸１３の周りを回動する。脱毛装置１００’は、皮膚の表面９０上の好ましい使用方向ＵＰに引かれて、毛９１を掴んで引き抜く。例えば、国際公開特許第２００６／０３７３９２  Ａ１号、又は同第２００６／０３７３９１  Ａ１号（それぞれの内容は参照することによって本明細書に組み込まれる）でも論じられるように、作動システム（作動システムの詳細は以下で図５を参照して述べる）は、動作中に、それぞれの対の締め付け要素１２のうちの少なくとも１つの移動可能な締め付け要素を作動させ、したがって、それぞれの対の締め付け要素１２は、締め付け要素１２の間に間隙が存在し、したがって間隙に毛９１が送り込まれることができる開放位置と、締め付け要素１２が密に接触し、したがって脱毛シリンダー１１が回動し続ける間、間隙の中に存在する毛９１が皮膚の表面９０から掴まれて引き抜かれる閉鎖位置と、をとる。締め付け要素１２は、ハウジング１０１に固定され原点がシリンダー軸１３にある座標系（破線ｘ及びｙで示される）に関して、角度位置αで閉鎖位置をとる。閉鎖位置をとる角度位置αは、通常高い脱毛効率のために最適化される。（高い脱毛効率は、単一ストロークで皮膚の表面積から引き抜かれる毛の数と、脱毛処置前に皮膚の表面積に伸びる毛の数との比率として定義される）。最適の脱毛効率を達成するには、脱毛装置１００’がある熟慮した角度で皮膚の表面９０に配置されることが必要であり、これにより、座標系は平面の皮膚の表面９０に固定しているとみなされるので、締め付け要素１２も皮膚の表面９０に関して角度位置αで閉鎖位置をとる。
【００１３】
図２は、提案されるハイブリッド脱毛装置１００の例示的実施形態の概略図である。ハイブリッド脱毛装置１００は、図１を参照して論じられる脱毛ユニット１０を含み、更に少なくとも１つのかみそりの刃８０を含み、図２に示される実施形態では、３つのかみそりの刃８０がカートリッジ８１に装着されている。カートリッジ８１は、安全かみそりの技術分野において一般的に知られている、標準のかみそりの刃のカートリッジとして実現されてもよい。カートリッジ８１は、ハイブリッド脱毛装置１００のハウジング１０１に装着される装着構造体１１０の一部である。装着構造体１１０は、脱毛シリンダー１１のシリンダー軸１３の周りで枢動できるように配置されてもよい。装着構造体１１０は、図２では第１の位置で示され、シリンダー軸１３の周りを手で枢動させることによって、第２の位置に移動させることができる。装着構造体１１０は、例えば、ハウジング１０１にそれぞれの凹部を設けて、その中に装着構造体１１０の突起部が係止し得ることによって、第１の位置及び第２の位置に係止させてもよい。図３Ａを参照して説明されるように、装着構造体１１０はこのように、一対の締め付け要素１２の閉鎖位置が皮膚の表面９０に関してとる角度位置αの調整を可能にする。カートリッジ８１は装着構造体１１０の固定した装着部分であってもよく、又はかみそりの刃８０が凹凸のある皮膚の表面の位相に順応して接触できるように、カートリッジ８１は装着構造体１１０の枢動可能な部分、及び／若しくは浮動可能な部分であってもよい。ハイブリッド脱毛装置１００のすべての実施形態では、単一のかみそりの刃８０が存在し得る、又は、２つ、３つ（図示のように）４つ、若しくは５つ等のかみそりの刃８０が存在し得ることは理解されるべきである。
【００１４】
かみそりの刃８０は、ハイブリッド脱毛装置１００が使用方向Ｕに沿って皮膚の表面９０上を引かれるときに、皮膚の表面９０から毛９１を剃り落とすための鋭い先端を有する。かみそりの刃８０は、使用方向Ｕに関して脱毛ユニット１０の後方に装着される。脱毛ユニット１０及びかみそりの刃８０は皮膚の表面９０に同時に接触するように装着され、これにより、動作中に、脱毛ユニット１０が皮膚の表面９０から毛９１を最初に掴んで引き抜き、次にかみそりの刃８０が、同じストロークで皮膚の表面９０にまだ伸びている残りの毛９１を剃毛する。
【００１５】
ハイブリッド脱毛装置１００は、閉鎖位置が達成される角度位置αを調整するための変位機構１９を更に含む。変位機構１９は、図２に示される第１の変位位置から、図３Ｂに示され、同図を参照して説明される第２の変位位置に切り換わることができる。脱毛ユニット１０が、例えば、国際公開特許第２００６／０３７３９１  Ａ１号に説明されるように実現される場合、変位機構は作動システムの一部である圧板（締め付け要素の閉鎖位置を画定する）を回動させ得、その結果、角度位置αも更に回動する（これは図５に関してより詳しく論じる）。本書のそれぞれの内容は、参照することによって本明細書に組み込まれる。図２では、変位機構１９は第１の変位位置に固定される。装着構造体１１０は、かみそりの刃８０と共に皮膚接触平面を画定する皮膚接触面１１１を有してもよく、そこで毛の引き抜き及び剃毛が同時に実施されるように、ハイブリッド脱毛装置１００が皮膚の表面９０と接触しなければならない。
【００１６】
当該技術分野において既知である脱毛ユニット１０は、最高約９０％の脱毛効率を有することができる、つまり、１０本中９本の毛９１が、ハイブリッド脱毛装置１００の単一ストロークで皮膚の表面９０から掴まれて、引き抜かれることを意味する（したがって脱毛効率は、所定の皮膚の表面積に沿って単一ストロークで毛を引き抜く数と、脱毛前に皮膚の表面積に存在する毛の数との比率である）。今や偏見なく、かみそりの刃８０は、同じ単一ストロークで脱毛ユニット１０によって引き抜かれなかった残りの毛９１をすべて剃り落とすと考えることができる。したがって、ハイブリッド脱毛装置１００は１００％の除毛効率を有する。引き抜かれる毛の数ＮＰと剃毛される毛の数ＮＳとの間の比率Ｒは、したがって、Ｒ＝ＮＰ／ＮＳ＝９である。単一ストロークでの高い除毛効率に加えて、ハイブリッド脱毛装置１００は特に、例えば、シェービングローションと組み合わせて湿潤環境で使用されるとき、優しく滑らかな皮膚感覚を引き起こす。それは単なる脱毛装置では、かみそりの刃８０が更に皮膚の最上部をすりむくので得られない。したがって、そのようなハイブリッド脱毛装置１００は、所定の皮膚の表面積（例えば、脚）上で完全な除毛を達成するのが特に速く、第１のストロークで引き抜かれなかった毛は剃り落とされるので、毛を引き抜くことに関連した痛みが更に軽減される。
【００１７】
図３Ａは、図２に示されているハイブリッド脱毛装置１００の概略図であり、シリンダー軸１３の周りを装着構造体１１０が枢動することによって、装着構造体１１０は第２の位置に移動する。この第２の位置では、かみそりの刃８０及び脱毛ユニット１０は引き続き皮膚の表面９０と同時に接触し得るが、締め付け要素の閉鎖位置がとる角度位置α’は、皮膚の表面９０に関して（又は、装着構造体１１０に固定された、破線ｘ及びｙで示される座標系に関して）より大きい角度に変わる。図２で示される角度位置αとは対照的に、閉鎖位置はここで、締め付け要素１２が皮膚の表面９０からより離れて移動した角度位置α’をとる。図３Ａに示される角度位置α’で、開放位置で締め付け要素１２の間の間隙に送り込まれた毛９１は、閉鎖位置をとる前に、間隙から既に滑りぬけた可能性がある。したがって、かみそりの刃８０が第１の位置にある（図２）ときの脱毛ユニット１０の効率と比べて、かみそりの刃８０の第２の位置で脱毛ユニット１０の脱毛効率は低下した。したがって、引き抜かれる毛の数ＮＰと剃毛される毛の数ＮＳとの間の比率Ｒが低下し、例えば、脱毛ユニット１０は５０％の効率（すなわち、１０本中５本の毛が単一ストロークで引き抜かれる）しか有さない場合があり、かみそりの刃８０が次に、所定の皮膚の表面積に伸びる毛の残りの５０％を除毛するので、Ｒ＝１である）。このように、提案されるハイブリッド脱毛装置１００は、装着構造体１１０の第１の回動位置から第２の回動位置への単純な回動（かみそりの刃８０もまた第１の位置から第２の位置に移動する）を通して、ユーザーが比率Ｒを変更することを可能にし、したがって完全な除毛に関連する引き抜く痛みが変わり、個人の好みに適応させることができる。
【００１８】
図３Ｂは、変位機構１９が第２の変位に固定された、図２に示されるハイブリッド脱毛装置１００の概略図である。前述したように、本明細書で論じられる変位機構１９は、変位機構１９を第１の変位から第２の変位に切り換えるときに、圧板がシリンダー軸１３の周りを回動するように、作動システムの圧板に作用するレバーを含んでもよい。締め付け要素１２の閉鎖位置が第２の変位でとる角度位置α”は、動作中に皮膚の表面９０に関してより大きい角度にシフトする。図３Ａに関連して論じられるように、一対の締め付け要素１２の閉鎖位置がとる角度位置α”のシフトは、脱毛ユニット１０のより低い脱毛効率につながり、したがって、皮膚の表面から引き抜かれる毛の数と、剃毛される（残りの）毛の数との比率の調整につながる。
【００１９】
要約すると、通常の動作中に対の締め付け要素の閉鎖位置が、少なくとも第１の調整と第２の調整との間で皮膚の表面に関してとる角度位置を調整可能にする（すなわち、脱毛ユニットの脱毛効率が調整可能となる）、異なる２つの手法が、手で操作可能な調整機構を実現するために提示される。第１の実施形態では、手で操作可能な調整機構は、角度位置の第１の調整に関連した第１の位置と第２の調整に関連した第２の位置との間で移動し得る装着構造体を含む。第２の実施形態では、手で操作可能な調整機構は、角度位置の第１の調整に関連した第１の変位から第２の調整に関連した第２の変位に切り換え得る変位機構を含む。
【００２０】
ハイブリッド脱毛装置の別の実施形態では、脱毛ユニット１０は変位可能に配置され、すなわち、手で操作可能な調整システム（ここで、これはハウジングを通って延びる簡単なレバーであって、脱毛ユニット１０に連結されるレバーとして実現されてもよい）は、脱毛ユニット１０の外側表面と皮膚接触面１１１によって画定される皮膚と接触する表面との間の距離、及びかみそりの刃８０の鋭い先端が達成できるように、脱毛ユニット１０を移動させる。脱毛ユニット１０が皮膚と接触する表面から（したがって、通常の動作中に皮膚の表面から）離れれば離れるほど、脱毛効率が低くなる。変位調整は手で、例えばハウジング１０１の外側表面でアクセス可能なレバーによって行われ、脱毛ユニット１０は近位の位置及び遠位の位置に係止し得るように構成され得る。
【００２１】
図４は、提案されるハイブリッド脱毛装置１００の例示的実施形態を実現した描写である。ハイブリッド脱毛装置１００は、ハウジング１０１、及びハウジング１０１のヘッド部に装着された脱毛ユニット１０を有する。装着構造体１１０は、脱毛ユニット１０の脱毛シリンダー１１が中に延在する開口を設けるように、及び脱毛シリンダー１１のシリンダー軸１３（一点短鎖線で示される）の周りで枢動可能であるように、ハウジング１０１に装着される。いくつかのかみそりの刃８０は、装着構造体１１０に直接装着され、脱毛シリンダー１１と共に、皮膚の表面との同時接触のために設けられる。
【００２２】
図５は、透視図法の形式で、脱毛シリンダー及び作動システムの例示的実施形態の構成要素を示し、例示的実施形態は国際公開特許第２００６／０３７３９１  Ａ１号で論じられる。より良い全体像がつかめるように、一対の締め付け要素１２の移動可能な締め付け要素１１１を作動させるための１つのロッド１１９のみが、図５にそれぞれ例示される。作動ロッド１１９は、脱毛シリンダーを形成するディスク１１０に設けられる穴１１８を通って延びる。保持機構１２６が、ディスク１１０及び圧板１２１を一緒に押す弓ばね用に設けられる（脱毛シリンダーはいくつかのディスク１１０からなり、２枚の圧力ディスク１２１が脱毛シリンダーの端部に配置される）。動作中に、ディスク１１０及び作動ロッド１１９を含む脱毛シリンダーは、圧板１２１がハイブリッド脱毛装置のハウジングに関して固定している間に回動する。圧板１２１の内面に設けられた圧力要素１２２は、制御面１２３が、圧板１２１の円周方向を指し、次第に上昇する傾斜路の形式で始まり、次第に下降する傾斜路で終わる隆起を形成するように形作られる。動作中に、作動ロッド１１９のヘッド部１２０は、圧板１２１の制御面１２３に沿って移動し、作動ロッド１１９に連結された締め付け要素１１１が、移動可能でない締め付け要素１１２に対して圧接され、その結果、締め付け要素１１１及び１１２が、圧板１２１のハイブリッド脱毛装置のハウジングに対する相対位置によって画定されるある角度位置で閉鎖位置をとる。図２及び３Ｂを参照して論じられる変位機構１９は、レバー１２７に作用してもよく、したがって、変位機構が第１の変位から第２の変位に切り換えられるとき、圧板１２１（及び脱毛シリンダーの反対側端部に配置されたそれぞれの対応物）を回動させることができる。
【００２３】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【図１】
0005420753.tif 000002
【図２】
0005420753.tif 000003
【図３Ａ】
0005420753.tif 000004
【図３Ｂ】
0005420753.tif 000005
【図４】
0005420753.tif 000006
【図５】
0005420753.tif 000007